(57)【要約】      （修正有）【課題】１つ孔の口紙等の包装物に容易に装着でき、商品陳列棚の支持棒に吊り下げるに十分な強度を有する脱プラスチック化された紙製の吊下具を提供する。【解決手段】商品陳列用吊下具は、商品の包装体の上部に形成され包装体の厚み方向に貫通する１つの取付孔に取り付けられる装着部１４と、一端を自由端とする商品を吊り下げるための吊下支持部１２と、装着部の一端と吊下支持部の他端とを連結する連接部１３とを備え、装着部と吊下支持部と連接部とを紙製のシート部材を切り抜いて一体成形される。装着部は、一端を連接部に連接し、他端まで略真直ぐに延びる中心部と、中心部の他端から左右両側に拡がり、その他端を自由端とするストッパ部とを有する。吊下支持部と連接部と装着部の中心部とは、吊下支持部の先端から順次、連接部を経て装着部の中心部まで取付孔に挿入することが可能であり、取付孔内で揺動回転可能な幅を有する。【選択図】図１
0003226753.tif 000002
【実用新案登録請求の範囲】
【請求項１】
商品の包装体の上部に形成され該包装体の厚み方向に貫通する１つの取付孔に取り付けられる装着部と、
一端を自由端とする前記商品を吊り下げるための吊下支持部と、
前記装着部の一端と前記吊下支持部の他端とを連結する連接部とを備え、前記装着部と前記吊下支持部と前記連接部とを紙製のシート部材を切り抜いて一体成形される商品陳列用吊下具であって、
前記装着部は、一端を前記連接部に連接し、他端まで略真直ぐに延びる中心部と、該中心部の他端から左右両側に拡がり、その他端を自由端とするストッパ部とを有し、
前記吊下支持部と前記連接部と前記装着部の中心部とは、前記吊下支持部の先端から順次、前記連接部を経て前記装着部の中心部まで前記取付孔に挿入することが可能であり、前記取付孔内で揺動回転可能な幅を有する、商品陳列用吊下具。
【請求項２】
前記吊下支持部は、棒状部材に引っ掛けることが可能なフック形状であり、
前記装着部の中心部は、前記吊下支持部を棒状部材に引っ掛けて商品を吊り下げたときの鉛直方向に延びており、
前記連接部は、前記吊下支持部の他端を前記装着部の中心部の一端までオフセットするように両者を連結している、請求項１に記載の商品陳列用吊下具。
【請求項３】
前記ストッパ部は、前記中心部の他端から左右両側に拡がる第一ストッパ部と、該第一ストッパ部の両端側から前記中心部の両側を該中央部の一端方向に延びる第二ストッパ部及び第三ストッパ部とを有する、請求項２に記載の商品陳列用吊下具。
【請求項４】
前記吊下支持部と前記連接部と前記装着部の中央部とは、一体になって連続するシデ紐形状で構成され、それぞれの幅長さは前記取付孔の径より小さく、前記装着部のストッパ部の左右の縁部の間の横方向長さは前記取付孔の径より大きい、請求項２に記載の商品陳列用吊下具。
【請求項５】
前記吊下支持部は、自由端である一端側から順に、棒状部材に引っ掛ける引掛部と、棒状部材で下方から担持される担持部と、担持部から下方に前記連接部まで延びる延伸部とで構成され、前記延伸部は、前記引掛部の一端の位置よりも下方の位置まで延びる、請求項２に記載の商品陳列用吊下具。
【請求項６】
前記吊下支持部、前記連接部及び前記装着部は、その幅方向の縁部に厚み方向のＲ形状を設け、前記吊下支持部の引掛部一端としての自由端及び前記装着部のストッパ部の他端としての自由端は、平面方向にＲ形状を設けている、請求項１〜５のいずれか１項に記載の商品陳列用吊下具。
【考案の詳細な説明】
【技術分野】
【０００１】
本考案は、商品を展示販売する際に用いられる商品陳列用吊下具に関し、特に、靴下や下着類などのように、スーパーや百貨店等において吊り下げて陳列、販売されている小物商品に適用して有効な商品陳列用吊下具に関するものである。
【背景技術】
【０００２】
スーパーや百貨店等の衣料品量販店では、省スペースや見栄えの良さを考慮して、靴下や肌着、ハンカチ、パンティストッキング、文房具等の小物商品を陳列棚に吊り下げて陳列、販売するケースが多い。陳列棚は、吊り下げ用の支持棒式のものが多く、吊り下げ用の支持棒は概ね水平方向に延びて片持ち型の金属製棒状部材である。この陳列棚の支持棒に小物商品の包装袋や口紙の上部に装着された吊下具を引っ掛けて小物商品を連続的に吊り下げて陳列する。
【０００３】
上記陳列棚の支持棒に吊り下げる吊下具には、従来より特許文献１〜３（特開２０１１−０９８０６８号公報、特開２００７−１６７１３８号公報、特公昭５５−１０４８号公報）のような所謂フックハンガーと称するものが存在する。フックハンガーは、薄い平板形状であり、その下部を小物商品を保持する口紙の上端縁部に形成された横方向の長孔に挿入して取り付けられ、上部のフック部を陳列棚の支持棒に引っ掛けて商品を吊り下げた状態で陳列する商品陳列用吊下具である。
【０００４】
従来、上記フックハンガーはポリプロピレン等の樹脂製が中心的であったが、近年の環境問題の影響を受けてフックハンガーも紙製のものを使用するニーズが高まっている。特に小物商品の口紙の紙製化が進んでおり、これに装着されて陳列棚に吊り下げられるフックハンガーも紙製となり、一体としての廃棄を所望する量販店の潜在ニーズも大きいと考えられる。
【０００５】
しかしながら、所謂フックハンガーの場合、その下部の装着部は横長であり、口紙の上端縁部に長孔を形成せざるを得ず、上端から少し下がった位置に丸孔を１つ設けたような口紙や包装袋に装着し、吊り下げることはできない（以下、丸孔等を１つ設けたものを「１つ孔」と称する）。従来、このような１つ孔の口紙等の場合、フックハンガー等の口紙への挿入部を口紙の表裏外側から挟み込み１つ孔を通して所謂パチン留め（スナップ留め）するタイプのもので小物商品を吊り下げることが可能であった。
【０００６】
しかしながら、このパチン留めのフックハンガーの場合、１つ孔への固定力を考えた場合、その材質を樹脂製等にせざるを得ず、紙製では代替えすることはできない。例えば、脱プラスチックの代表的紙製素材として、原料となる紙を薬品処理しセルロースを解繊、強固に結び付けたバルカナイズドファイバーが存在する。このバルカナイズドファイバーは小物商品を吊り下げる十分な強度を有するため、通常のフックハンガーとしては樹脂製素材の代替え素材として市場にも投入されてきている。しかしながら、バルカナイズドファイバーは素材が平板状であり、パチン留めに必須の弾性復元力に欠けるため１つ孔に適応するパチン留めタイプのフックハンガーの代替としては採用できない。
【０００７】
一方、上述するように近年、環境問題により脱プラスチィックへの社会的要望が強く、１つ孔の口紙を素材を紙製にしても吊下具としてのフックハンガーが樹脂製のままであると小物商品の包装物全体として脱プラスチィック化がなされず、ユーザが小物商品を取り外して廃棄する際に、紙製の口紙と樹脂製のフックハンガーとを分別せざるを得ず、この問題の解決を所望する潜在的ニーズが大きいと考案者は考えていた。
【先行技術文献】
【特許文献】
【０００８】
【特許文献１】特開２０１１−０９８０６８号公報
【特許文献２】特開２００７−１６７１３８号公報
【特許文献３】特公昭５５−１０４８号公報
【考案の開示】
【考案が解決しようとする課題】
【０００９】
本考案は、以上の事情に鑑みて創作されたものであり、小物商品に対する所謂１つ孔の口紙や包装物に容易に装着でき、陳列棚に吊り下げるに十分な強度を有する脱プラスチック化された商品陳列用吊下具を提供することを目的とする。
【課題を解決するための手段】
【００１０】
上記目的を達成するために本考案は、
商品の包装体の上部に形成され該包装体の厚み方向に貫通する１つの取付孔に取り付けられる装着部と、
一端を自由端とする前記商品を吊り下げるための吊下支持部と、
前記装着部の一端と前記吊下支持部の他端とを連結する連接部とを備え、前記装着部と前記吊下支持部と前記連接部とを紙製のシート部材を切り抜いて一体成形される商品陳列用吊下具を提供する。
【００１１】
上記装着部は、一端を前記連接部に連接し、他端まで略真直ぐに延びる中心部と、該中心部の他端から左右両側に拡がり、その他端を自由端とするストッパ部とを有し、
前記吊下支持部と前記連接部と前記装着部の中心部とは、前記吊下支持部の先端から順次、前記連接部を経て前記装着部の中心部まで前記取付孔に挿入することが可能であり、前記取付孔内で揺動回転可能な幅を有する。
【００１２】
本商品陳列用吊下具は、所謂１つ孔の口紙等の包装体（以下、総称として単に「口紙」とも言う）の取付孔に挿入して装着する薄板状のものであり、後述するように商品陳列棚の支持棒に吊り下げる吊下支持部側から取付孔内に揺動回転させながら挿入していき、口紙側の装着部が取付孔に到達し、上方（商品陳列棚の支持棒方向）に引き上げるとストッパ部が口紙の落下を規制して商品及び口紙を吊り下げることができる。
【００１３】
また、本商品陳列用吊下具であれば、バルカナイズドファイバー等の紙製材料であり、所謂脱プラスチックの要請を満たすことができ、シート部材から一回の工程で切り抜くだけで製造できるため製造容易である。また、本商品陳列用吊下具は、上下逆から取付孔に挿入し、進行させていくだけでしっかりと吊下具を口紙に装着することができ、装着工程も良好である。さらに、一回の切り抜き工程でストッパ部まで製造でき、該ストッパ部に掛かる商品の重さはシート部材の平面方向の引張力のみであり折り曲げ方向の荷重が小さいため紙製であっても高強度かつ耐久性が高い点でも有利である。
【００１４】
具体的には、前記吊下支持部は、棒状部材に引っ掛けることが可能なフック形状であり、
前記装着部の中心部は、前記吊下支持部を棒状部材に引っ掛けて商品を吊り下げたときの鉛直方向に延びており、
前記連接部は、前記吊下支持部の他端を前記装着部の中心部の一端までオフセットするように両者を連結している、ことが好ましい。
【００１５】
また、前記ストッパ部は、前記中心部の他端から左右両側に拡がる第一ストッパ部と、該第一ストッパ部の両端側から前記中心部の両側を該中央部の一端方向に延びる第二ストッパ部及び第三ストッパ部とを有する、ことが好ましい。
【００１６】
この構成の商品陳列用吊下具によれば、取付孔に取り付けた際に、装着部の中央部の両側の第二及び第三ストッパ部で口紙を厚み方向両側から挟むことができるためしっかりと口紙を固定することができる。
【００１７】
また、前記吊下支持部と前記連接部と前記装着部の中央部とは、一体になって連続するシデ紐形状で構成され、それぞれの幅長さは前記取付孔の径より小さく、前記装着部のストッパ部の左右の縁部の間の横方向長さは前記取付孔の径より大きい、ことが好ましい。
【００１８】
これにより取付孔内に本商品陳列用吊下具を揺動回転させながら容易に挿入することができ、ストッパ部が取付孔から大きくはみ出すために抜け落ち等を防止し、しっかりと口紙を固定できる。
【００１９】
また、前記吊下支持部は、自由端である一端側から順に、棒状部材に引っ掛ける引掛部と、棒状部材で下方から担持される担持部と、担持部から下方に前記連接部まで延びる延伸部とで構成され、前記延伸部は、前記引掛部の一端の位置よりも下方の位置まで延びる、ことが好ましい。
【００２０】
引掛部より延伸部を長くすることで、本商品陳列用吊下具を回転させながら取付孔に挿入し易く、同時に十分な吊り下げ距離を設けることもできる。
【００２１】
さらに、前記吊下支持部、前記連接部及び前記装着部は、その幅方向の縁部に厚み方向のＲ形状を設け、前記吊下支持部の引掛部一端としての自由端及び前記装着部のストッパ部の他端としての自由端は、平面方向にＲ形状を設けている、ことが好ましい。
【００２２】
本商品陳列用吊下具の縁部や自由端の角をとってＲ形状にしておくことで、取付孔への挿入し易く、紙製にありがちな使用時に角がとれたり剥がれたりすることによる耐久性の低下を防止できる。
【考案の効果】
【００２３】
本考案の商品陳列用吊下具によれば、小物商品に対する所謂１つ孔の口紙等の包装物に容易に装着でき、商品陳列棚の支持棒に吊り下げるに十分な強度を有する脱プラスチック化された紙製の吊下具が提供される。
【図面の簡単な説明】
【００２４】
【図１】本考案の商品陳列用吊下具の一例を平面方向から見た略図である
【図２】図１の商品陳列用吊下具を口紙の取付孔に順次取り付ける工程を略示しており、（ａ）では商品陳列用吊下具の吊下支持部の引掛部を取付孔に挿入する様子、（ｂ）では（ａ）の状態から商品陳列用吊下具を揺動回転させながら取付孔への挿入が進行した様子を示している。
【図３】商品陳列用吊下具を口紙の取付孔に取り付ける図２（ｂ）の工程の続きの工程を略示しており、（ａ）では、図２（ｂ）の状態から更に商品陳列用吊下具を揺動回転させながら取付孔３０内を挿入進行させた様子、（ｂ）では、（ａ）の状態から商品陳列用吊下具をさらに揺動回転させながら取付孔への挿入を進行させた様子を示している。
【図４】商品陳列用吊下具を口紙の取付孔に取り付ける図３（ｂ）の工程の続きの工程を略示しており、図３（ｂ）の状態からさらに商品陳列用吊下具を鉛直方向になるまで回転させたときの様子、（ｂ）は、（ａ）の状態から商品陳列用吊下具を上方に引き上げた様子を示している。
【図５】図１の商品陳列用吊下具の変形例を例示している。
【図６】図１の商品陳列用吊下具のさらなる変形例を例示している。
【考案を実施するための形態】
【００２５】
≪本考案の実施形態の例示≫
本考案の商品陳列用吊下具の実施形態例について図１〜図６を参照しつつ以下、説明する。
【００２６】
本考案の商品陳列用吊下具は、バルカナイズドファイバー製であり、薄いシート部材（平板部材）から抜き型により切り出して成形される。図１は、本考案の商品陳列用吊下具の一例としての本商品陳列用吊下具１０を平面方向から見た略図である（本商品陳列用吊下具１０は薄い平板部材であるため他視点の図面は省略する）。本商品陳列用吊下具１０は一体に切り出して成形されるが、概ね吊下支持部１２、連接部１３、装着部１４とで構成される。
【００２７】
図１に示すように吊下支持部１２の一端を自由端として上方に延びる引掛部１２ａと、一端が引掛部１２ａの他端に連続して結合し、湾曲しながら横方向に延びて商品陳列棚の支持棒（図示せず）を担持する担持部１２ｂと、担持部１２ｂの他端に連続して結合し、下方に延びる延伸部１２ｃと、で形成されている。吊下支持部１２は、引掛部１２ａ、担持部１２ｂ、延伸部１２ｃにわたって後述する口紙２０の取付孔３０に挿入可能なように該取付孔３０の径より幅長さが小さく均一で平行進行している。また、引掛部１２ａは、取付孔３０に挿入し易くし、耐久性を増強するために、その先端にＲ形状を設けている。このＲ形状は、図１で下半円状に示すように平面方向に設けるＲ形状と、図示しないが縁部を厚み方向に設けるＲ形状とを有する。なお、縁部を厚み方向に設けるＲ形状は、担持部１２ｂ、延伸部１２ｃもその幅方向縁部に同様に設けており、後述する連接部１３、装着部１４においてもその縁部に同様に設けており、さらに平面方向に設けるＲ形状は、後述する装着部１３のストッパ部の先端１４ｄ、１４ｃにも上半円状のＲ形状として設けている。
【００２８】
また、担持部１２ｂは、商品陳列用吊下具１０を商品陳列棚の支持棒（図示せず）に吊り下げたときに、担持部１２ｂの下縁部が支持棒に当接するように略上半円状に湾曲している。また、担持部１２ｂの他端（図１の右端側）に連結する延伸部１２ｃは、鉛直下方に所定長さ延びている。延伸部１２ｃは、商品陳列棚の支持棒に吊り下げたときに口紙２０の上端縁部より突出して支持棒まで吊り下げる役割を有する部分であり、吊り下げ作業性や商品（及び口紙２０）の揺動、後述する取付孔３０への挿入工程で連接部１３において回転することを考慮して、引掛部１２ａの先端（一端）よりも下方まで延びる長さを有している。
【００２９】
次に、延伸部１２ｃの他端にその一端が連結する連接部１３は、その他端（下端）が装着部１４の中央部１３ａの一端に連接するように、商品陳列用吊下具１０を支持棒に吊り下げた静止した状態で鉛直方向となる中心軸Ｏ−Ｏ（図１の一点鎖線）まで斜め下方に延びている。この連接部１３により延伸部１２ｃは中心軸Ｏ−Ｏにオフセットされることとなり、吊り下げ時の左右バランスが保持され、安定する。
【００３０】
装着部１４は、一端が連接部１３に結合して中心軸Ｏ−Ｏに沿って鉛直下方に延びる中央部１４ａと、中央部１４ａの他端（下端）から左右方向にそれぞれ拡がるストッパ部１４ｂ、１４ｃ、１４ｄとを有している。図１の例では、ストッパ部１４ｂ、１４ｃ、１４ｄが第一ストッパ部１４ｂ、第二ストッパ部１４ｃ、第三ストッパ部１４ｄで構成されており、第一ストッパ部１４ｂは、左右方向に延びて中心軸Ｏ−Ｏの位置で中央部１４ａに結合している。
【００３１】
第二ストッパ部１４ｃは、第一ストッパ部１４ｂの右端から中央部１４ａの右側部に沿って略平行上方に延びており、その上端を中央部１４ａと連接部１３との結合位置程度又は下方の位置にある自由端とする。また、第三ストッパ部１４ｄは、中央部１４ｂに対して第二ストッパ部１４ｃと対称の位置にあり、第二ストッパ部１４ｃと同様に第一ストッパ部１４ｂの左端から中央部１４ａの左側部に沿って第二ストッパ部１４ｃの上端と同じ位置まで略平行上方に延びている。
【００３２】
第一ストッパ部１４ｂ、第二ストッパ部１４ｃ、第三ストッパ部１４ｄは、幅方向両側の縁部が連続して一体のストッパ部を形成しており、全体として下縁部が下半円形状を形成している。このストッパ部１４ｂ、ｃ、ｄの下縁部の形状は、引掛部１２ａ、担持部１２ｂ及び延伸部１２ｃで形成される吊下支持部１２の上縁部の形状と略対称であり、図１の例では、吊下支持部１２の上縁部とストッパ部１４ｂ、ｃ、ｄとの上下縁部を略楕円の一部として切り抜かれるため材料の歩留まりが良好である。
【００３３】
次に図１の本商品陳列用吊下具１０を小物商品の口紙の取付孔への取付方法について説明する。
【００３４】
図２〜図４には本商品陳列用吊下具１０を口紙２０の上部中央で貫通する取付孔３０を通して口紙２０に順次取り付ける工程を略示している。まず、図２（ａ）は商品陳列用吊下具１０の吊下支持部１２の引掛部１２ａを取付孔３０に挿入する様子を示している。商品陳列用吊下具１０を取付孔３０に取り付ける際、まず最初に商品陳列用吊下具１０を回転させて上下逆転させ、吊下支持部１２の先端（引掛部１２ａ）を取付孔３０に配置し、矢印Ａ１方向に挿入していく。このとき引掛部１２ａの幅長さｗが取付孔の径ｒよりも小さく、その先端が角を取ってＲ形状にしているため取付孔３０に容易に挿入させることができる。なお、引掛部１２ａから装着部１４の中央部１４までは取付孔３０内に挿入・進行させるべく、連続して幅長さｗ又は取付孔の径ｒより小さい幅長さである。
【００３５】
図２（ｂ）は、図２（ａ）の状態から本商品陳列用吊下具１０を矢印Ａ２方向に揺動回転させながら取付孔３０へ挿入し、吊下支持部１２の担持部１２ｂまで挿入が進行した様子を示している。図２（ｂ）において実線は口紙２０の紙面表側に位置する状態を示しており、点線は口紙２０の紙面裏側に位置する状態を示している。このことは他の図３〜図４でも同様である。
【００３６】
図３（ａ）は、図２（ｂ）の状態から更に本商品陳列用吊下具１０を矢印Ａ２方向（図２（ｂ）参照）に揺動回転させながら取付孔３０内を吊下支持部１２の担持部１２ｂ、延伸部１２ｃまで挿入進行させ、連接部１３が取付孔３０に位置した様子を示している。取付孔３０の位置に連接部１３が到達すると、商品陳列用吊下具１０は連接部１３の幅方向両縁部に沿った方向（矢印Ａ３）に移動させ、連接部１３を口紙３０の紙面裏側に進行させる。このとき又はその後、商品陳列用吊下具１０は連接部１３の中央部Ｏ１の近傍を中心にこれまでの回転と同方向（矢印Ａ４参照）に回転させる。
【００３７】
そして、図３（ｂ）では、図３（ａ）の状態から本商品陳列用吊下具１０をさらに矢印Ａ５方向に揺動回転させながら取付孔３０への挿入が装着部１４の中央部１４ａを進行し、取付孔３０の下方縁部がストッパ部１４の第一ストッパ部１４ｂに到達した状態を示している。そして、さらに矢印Ａ５方向に回転し、商品陳列用吊下具１０の中心軸Ｏ−Ｏ（図１参照）が鉛直方向になったときの状態を図４（ａ）に示している。この状態から商品陳列用吊下具１０を上方（矢印Ａ６方向）に引き上げ、図４（ｂ）に示すように装着部１４の第一ストッパ部１４ｂの上縁部（隙間１６、１７の下端部）が取付穴３０の外周の上側縁部に当接したら引き上げ限界となる。これにより商品陳列用吊下具１０に対する口紙２０が下方移動を規制することができる。
【００３８】
また、図４（ｂ）の状態では、口紙２０の上方において口紙２０の紙面表面には第二ストッパ部１４ｃ、第三ストッパ部１４ｄが当接し、紙面裏面には中央部１４ａが当接して、口紙２０を厚み方向に第二ストッパ部１４ｃ、第三ストッパ部１４ｄと中央部１５ａとで挟み込んでいる。これにより商品陳列用吊下具１０に対する口紙２０が厚み方向の移動を規制することができる。
【００３９】
なお、商品陳列用吊下具１０の吊下指示部１２の内側縁部は、吊り下げを想定する商品陳列棚の支持棒の外径に応じた曲率を有しており、装着部１４の中央部１４ａと第二ストッパ部１４ｃ、第三ストッパ部１４ｄとの隙間の幅は想定する口紙２０の厚みに応じて増減する。
【００４０】
次に、上述してきた商品陳列用吊下具１０の変形例について図５〜図６を参照しつつ例示説明する。
【００４１】
図５（ａ）には第一の変形例として商品陳列用吊下具４０が示されている。商品陳列用吊下具４０は、図１に示す商品陳列用吊下具１０と異なり、装着部４４の中央部４４ａと第二ストッパ部４４ｃ、第三ストッパ部４４ｄとの隙間がなく、上下方向に第一ストッパ部４４ｂまで延びる切込み４６，４７を設けている。この商品陳列用吊下具４０は、口紙の厚みが小さい場合に適するものであり、中央部１４ａ、第二ストッパ部４４ｃ、第三ストッパ部４４ｄの弾性変形により切込み４６，４７が厚み方向に拡げられることで口紙を厚み方向に挟んでいる。
【００４２】
図５（ｂ）には第二の変形例として商品陳列用吊下具５０が示されている。商品陳列用吊下具５０は、図１に示す商品陳列用吊下具１０と異なり、装着部５４の第二ストッパ部５４ｃと第三ストッパ部５４ｄとが、上方に向かって中央部１４ａと離れるように拡がっている。中央部５４ａと第二ストッパ部５４ｃ、第三ストッパ部５４ｄとの隙間５６，５７の幅は上方に向かって幅広になっており、口紙に装着された状態で商品陳列用吊下具１０よって商品陳列用吊下具５０の揺動を看過する反面、口紙を厚み方向にしっかりと挟むことができる。
【００４３】
また、口紙の厚みや耐久性等の強度に応じた第三及び第四の変形例が図６に示されている。図６（ａ）には第三の変形例として商品陳列用吊下具６０が示されている。商品陳列用吊下具６０のストッパ部６４は全体として略半円以上に形成される。具体的には、第二ストッパ部６４ｃ、第三ストッパ部６４ｄは第一ストッパ部６４ｂとの連結箇所から両側に拡がった後、上方に向かうにつれて狭くなっている。
【００４４】
また、図６（ｂ）には第四の変形例として商品陳列用吊下具７０が示されている。商品陳列用吊下具７０の装着部７４は中央部７４ａとストッパ部とを有するが、図５（ｂ）のように第一ストッパ部７４ｂの左右両側で拡がって上方に延びる第二ストッパ部７４ｃ、第三ストッパ部７４ｄに加え、第二ストッパ部７４ｃ、第三ストッパ部７４ｄそれぞれの上端から下方に折れ曲がって互いに狭くなる第二ストッパ補完部７４ｅ、第三ストッパ補完部７４ｆを有している。
【００４５】
以上、本考案における商品陳列用吊下具（上記実施形態における商品陳列用吊下具１０，４０，４０，６０，７０）についての実施形態およびその概念及び周辺技術について説明してきたが本考案はこれに限定されるものではなく特許請求の範囲および明細書等に記載の精神や教示を逸脱しない範囲で他の変形例、改良例が得られることが当業者は理解できるであろう。
【符号の説明】
【００４６】
１０…商品陳列用吊下具
１２…吊下支持部
１２ａ…引掛部
１２ｂ…担持部
１２ｃ…延伸部
１３…連接部
１４…装着部
１４ａ…中央部
１４ｂ…第一ストッパ部
１４ｃ…第二ストッパ部
１４ｄ…第三ストッパ部
１７…隙間
Ｏ−Ｏ…中心軸
【図１】
0003226753.tif 000003
【図２】
0003226753.tif 000004
【図３】
0003226753.tif 000005
【図４】
0003226753.tif 000006
【図５】
0003226753.tif 000007
【図６】
0003226753.tif 000008